(57)【特許請求の範囲】
【請求項１】
本体に対して前面扉が開閉可能に取り付けられた遊技機において、
前記本体の両側面板を貫通するように設けられた貫通穴と、
前記本体の内部に取り付けられ、前記貫通穴を前記本体の内部から塞ぐ貫通穴閉塞部を有する内部部材と
を備え、
前記内部部材は所定の部品を支持する支持板部材であり、前記貫通穴閉塞部はフランジであり、前記支持板部材は前記本体の底面と略平行であって前記所定の部品を載置する支持面を有し、前記フランジは前記支持面のうち前記両側面板に当接する箇所にて上下方向に屈曲して設けられている、
遊技機。
【請求項２】
前記支持板部材は、前記フランジにて前記両側面板に締結されている、請求項１に記載の遊技機。
【請求項３】
前記貫通穴は取っ手穴であり、前記支持板部材はリールユニットを支持する部材である、請求項１又は２に記載の遊技機。
【請求項４】
前記貫通穴は取っ手穴であり、前記フランジは前記取っ手穴と略合致する位置に内向きに凹んだ指挿入部を備えている、請求項１〜３のいずれかに記載の遊技機。
【発明の詳細な説明】
【０００１】
【発明の属する技術分野】
本発明は、遊技機に関し、詳しくは、本体に対して前面扉が開閉可能に取り付けられた遊技機に関する。
【０００２】
【従来の技術】
従来、この種の遊技機としては、本体の両側面板を貫通するように貫通穴が設けられたものが知られている。この貫通穴としては、例えば遊技機を運搬する際に作業者が指を引っかけるための取っ手穴がある。ところで、遊技者の中には遊技機内部を不正に変更して遊技を行う不正行為者がいるが、このような不正行為者が貫通穴を利用して不正に遊技機内部を操作するのを防止するために、本体の内側から目隠し板でこの貫通穴を塞いでいる。
【０００３】
【発明が解決しようとする課題】
しかしながら、貫通穴を塞ぐための専用の目隠し板を用意する必要があり、部品点数が嵩むという問題があった。
【０００４】
本発明は上記課題に鑑みなされたものであり、部品点数を増やすことなく貫通穴を塞ぐことのできる遊技機を提供することを目的の一つとする。
【０００５】
【課題を解決するための手段およびその作用・効果】
本発明の遊技機は、上述の目的を達成するために以下の手段を採った。
【０００６】
手段１．本体に対して前面扉が開閉可能に取り付けられた遊技機において、
前記本体の両側面板を貫通するように設けられた貫通穴と、
前記本体の内部に取り付けられる内部部材と
を備え、
前記内部部材が前記貫通穴を前記本体の内側から塞ぐようにした遊技機。
【０００７】
この遊技機では、本体の内部に取り付けられる内部部材が貫通穴を本体の内側から塞ぐようにしたため、部品点数を増やすことなく貫通穴を塞ぐことができる。なお、「内部部材」とは、遊技機の内部に取り付けられる部材であれば特に限定されるものではない。
【０００８】
手段２．前記内部部材は、金属製である手段１記載の遊技機。こうすれば、不正行為者が内部部材によって塞がれた貫通穴をこじ開けようとしても、容易にこじ開けることができない。
【０００９】
手段３．前記内部部材は、前記貫通穴を前記本体の内部から塞ぐ貫通穴閉塞部を備えている手段１又は２記載の遊技機。こうすれば、内部部材に貫通穴を本体の内側から塞ぐ貫通穴閉塞部を設けたため、部品点数を増やすことなく貫通穴を塞ぐことができる。
【００１０】
手段４．前記内部部材は所定の部品を支持する支持板部材であり、前記貫通穴閉塞部はフランジである手段３記載の遊技機。こうすれば、支持板部材に貫通穴を塞ぐようにフランジを設けることにより、比較的簡単に貫通穴を塞ぐことができる。なお、「所定の部品」とは、遊技機の内部に取り付けられる部品であれば特に限定されるものではない。
【００１１】
手段５．前記支持板部材は、前記本体の底面と略平行であって前記所定の部品を載置する支持面を有し、前記フランジは、前記支持面のうち前記両側面板に当接する箇所にて上下方向に屈曲して設けられている手段４記載の遊技機。こうすれば、支持板部材の支持面の一部を延ばすことにより簡単にフランジを形成することができる。
【００１２】
手段６．前記支持板部材は、前記所定の部品を支持するのに支障にならない切欠又は通孔を有している手段４又は５記載の遊技機。こうすれば、支持板部材が軽くなるため、ひいては遊技機全体の重量が軽くなる。
【００１３】
手段７．前記支持板部材は、前記フランジにて前記両側面板に締結されている手段４〜６のいずれかに記載の遊技機。こうすれば、支持板部材をフランジにて本体の両側面板に締結すると同時に貫通穴を塞ぐことができる。
【００１４】
手段８．前記フランジは、少なくとも前記貫通穴の前方位置及び後方位置にて前記側面板に締結されている手段４〜７のいずれかに記載の遊技機。こうすれば、支持板部材をフランジにて本体の両側面板に確実に締結できるし貫通穴も確実に塞ぐことができる。
【００１５】
手段９．前記貫通穴は取っ手穴であり、前記支持板部材はリールユニットを支持する部材である手段４〜８のいずれかに記載の遊技機。リールユニットの下面は取っ手穴とほぼ同じ高さのことが多いため、リールユニットを支持する支持板部材にフランジを設けてそのフランジで取っ手穴を塞ぐのが好適である。
【００１６】
手段１０．前記貫通穴は取っ手穴であり、前記フランジは前記取っ手穴と略合致する位置に内向きに凹んだ指挿入部を備えている手段４〜９のいずれかに記載の遊技機。こうすれば、運搬作業時に作業者が指を取っ手穴に引っかけやすくなる。
【００１７】
手段１１．前記貫通穴は取っ手穴である手段１〜８のいずれかに記載の遊技機。こうすれば、部品点数を増やすことなく取っ手穴を塞ぐことができる。
【００１８】
手段１２．手段１〜１１のいずれかに記載の遊技機であって、前記遊技機はスロットマシンである遊技機。こうすれば、スロットマシンにおいて手段１〜１１のいずれかの作用効果が得られる。例えばスロットマシンの基本構成としては、「遊技状態に応じてその遊技状態を識別させるための複数の識別要素からなる識別要素列を変動表示した後に識別要素を確定表示する表示手段を備え、始動用操作手段（例えば操作レバー）の操作に起因して識別要素の変動が開始され、停止用操作手段（例えばストップボタン）の操作に起因してあるいは所定時間経過することにより識別要素の変動が停止され、その停止時の確定識別要素が特定識別要素であることを必要条件として遊技者に有利な特別遊技状態を発生させる特別遊技状態発生手段とを備える遊技機」を挙げることができる。この場合、遊技媒体はコイン、メダル等が代表例として挙げられる。こうしたスロットマシンにおいて、少なくとも多数個の遊技媒体例えばコイン、メダル等を取得できる遊技者に有利な状態である特別遊技状態（大当り状態）と遊技媒体を消費する遊技者に不利な状態である通常遊技状態とが存在するものとすることもできる。
【００１９】
手段１３．手段１〜１１（手段９を除く）のいずれかに記載の遊技機であって、前記遊技機はパチンコ機である遊技機。こうすれば、パチンコ機において手段１〜１１（手段９を除く）のいずれかの作用効果が得られる。例えばパチンコ機の基本構成としては、操作ハンドルを備えておりそのハンドル操作に応じて遊技球を所定の遊技領域に発射させ、遊技球が遊技領域内の所定の位置に配置された作動口に入賞することを必要条件として表示手段における識別要素の変動表示が開始すること、また、特別遊技状態発生中には遊技領域内の所定の位置に配置された入賞口が所定の態様で開放されて遊技球を入賞可能として、その入賞個数に応じた有価価値（景品球のみならず、磁気カードへの書き込む等も含む）が付与されること等が挙げられる。なお、こうしたパチンコ機には、少なくとも多数個の遊技球を取得できる遊技者に有利な状態である特別遊技状態（大当り状態）と、遊技球を消費する遊技者に不利な状態である通常遊技状態とが存在するものとすることもできる。
【００２０】
手段１４．手段１〜１１のいずれかに記載の遊技機であって、前記遊技機はパチンコ機とスロットマシンとを融合させてなる遊技機。このパチンコ機とスロットマシンとを融合させた遊技機の基本構成としては、「遊技状態に応じてその遊技状態を識別させるための複数の識別要素からなる識別要素列を変動表示した後に識別要素を確定表示する表示手段を備え、始動用操作手投（例えば操作レバー）の操作に起因して識別要素の変動が開始され、停止用操作手段（例えばストップボタン）の操作に起因してあるいは所定時間経過することにより識別要素の変動が停止され、その停止時の確定識別要素が特定識別要素であることを必要条件として遊技者に有利な特別遊技状態を発生させる特別遊技状態発生手段とを備え、遊技媒体として遊技球を使用すると共に識別要素の変動開始に際しては所定数の遊技球を必要とし、特別遊技状態の発生に際しては多くの遊技球が払い出されるよう構成されてなる遊技機」を挙げることができる。こうした遊技機には、少なくとも多数個の遊技球を取得できる遊技者に有利な状態である特別遊技状態（大当り状態）と、遊技球を消費する遊技者に不利な状態である通常遊技状態の２種類の遊技状態とが存在するものとすることもできる。
【００２１】
手段１２〜１４に記載したように、本発明の遊技機としては、パチンコ機やスロットマシン，パチンコ機とスロットマシンとを融合させてなる遊技機などを挙げることができるが、この他、種々の遊技機に適用することもできる。
【００２２】
【発明の実施の形態】
次に、本発明の好適な一実施形態を説明する。図１は本実施形態であるスロットマシン１０の前面扉１２を閉じた状態の斜視図であり、図２はスロットマシン１０の前面扉１２を開いた状態の斜視図である。
【００２３】
スロットマシン１０は、前面扉１２がその左辺を回動軸として本体１１に回動可能に取り付けられ、前面扉１２を閉じた状態で施錠装置２０により本体１１と前面扉１２とを施錠できるようになっている。前面扉１２には、遊技の進行に伴い点灯したり点滅したりする上部ランプ１３と、遊技の進行に伴い種々の効果音を鳴らしたり遊技者に遊技状態を報知したりするスピーカ１４，１４と、各種表示内容を表示する液晶ディスプレイ１５と、左回胴Ｌと中回胴Ｍと右回胴Ｒをそれぞれ透視可能な露出窓３１Ｌ，３１Ｍ，３１Ｒ、メダルのベット数に応じて点灯する５つのベットランプ３２，３３，３３，３４，３４，クレジット枚数表示部３５，ゲーム数表示部３６，払出枚数表示部３７などが設けられた遊技パネル３０と、略中段付近にて各種ボタン５１，５３〜５６，６１〜６３やスタートレバー５２やメダル投入口５７が設けられた操作部５０と、機種名や遊技に関わるキャラクタなどが表示された下段プレート１６と、メダル払出口１７から払い出されたメダルを受けるメダル受け皿１８などが装着されている。また、スロットマシン１０の内部には、図２に示すように、電源スイッチ８１やリセットスイッチ８２や設定キー挿入孔８３などが配置された電源ボックス８５、メダルを貯留する補助タンク８７とこの補助タンク８７内のメダルを払出用通路９２に通じる開口９３を介してメダル払出口１７へ払い出す払出装置８８とから構成されたホッパ８６、液晶ディスプレイ１５の表示を制御する表示用制御装置９４、スロットマシン１０の遊技を制御する主制御装置７０などが装着されている。
【００２４】
操作部５０の前面部には、クレジット機能の有効・無効を切り替えるクレジットボタン５１と、遊技開始時に操作するスタートレバー５２と、各回胴の回転を止めるストップボタン５３，５４，５５と、メダルの詰まりを解消する返却ボタン５６が設けられ、操作部５０の水平段部にはメダルを投入するメダル投入口５７と、１枚のメダルをベットする１枚ベットボタン６１と、２枚のメダルをベットする２枚ベットボタン６２と、最大枚数のメダルをベットするマックスベットボタン６３が設けられている。
【００２５】
本体１１の内部の略中段には、左側面板１１２から右側面板１１４に亘ってリールユニット支持板部材１３０が架け渡され、このリールユニット支持板部材１３０にはリールユニット１５０が載置されている。リールユニット１５０は、各回胴Ｌ，Ｍ，Ｒと、回胴Ｌ，Ｍ，Ｒの前面側を露出した状態で取り囲むカバー１５１と、各回胴Ｌ，Ｍ，Ｒの内側に配置され各回胴Ｌ，Ｍ，Ｒを回転駆動する図示しないステッピングモータなどを備えている。
【００２６】
次に、この支持板部材１３０について詳細に説明する。図３は本体１１にリールユニット支持板部材１３０を取り付けるときの組付斜視図、図４は本体１１にリールユニット支持板部材１３０を取り付けたあとの斜視図である。
【００２７】
スロットマシン１０の本体１１は、図３及び図４に示すように、底面板１１０の左右両端にそれぞれ左側面板１１２及び右側面板１１４が立設され、両側面板１１２，１１４の上端同士が上面板１１６で架け渡され、底面板１１０，両側面板１１２，１１４及び上面板１１６で囲まれた空間のうち背面に背面板１１８が嵌め込まれている。両側面板１１２，１１４には、それぞれ左取っ手穴１２２及び右取っ手穴１２４が貫通して設けられている。両取っ手穴１２２，１２４は、いずれも前後方向に長い略長方形状の穴であり、スロットマシン１１の高さの略中間位置に設けられている。
【００２８】
リールユニット支持板部材１３０は、板金製であり、底面板１１０に略平行となるように左側面板１１２から右側面板１１４に亘って形成された支持面１３１を有しており、前述したリールユニット１５０（図２参照）をこの支持面１３１にて支持するものである。この支持面１３１には、リールユニット１５０を支持するのに支障にならないように、左奥と右奥に切欠１４０，１４２が形成され、左、中、右の３箇所に丸穴１４４，１４６，１４８が形成されている。
【００２９】
また、リールユニット支持板部材１３０は、支持面１３１のうち左側面板１１２に当接する箇所を上向きに屈曲して設けた左側面フランジ１３２と、支持面１３１のうち右側面板１１４に当接する箇所を上向きに屈曲して設けた右側面フランジ１３４と、支持面１３１のうち背面板１１８に当接する箇所を上向きに屈曲して設けた背面フランジ１３８とを備えている。このリールユニット支持板部材１３０は、左側面フランジ１３２及び右側面フランジ１３４がそれぞれ左取っ手穴１２２及び右取っ手穴１２４を本体１１の内側から塞ぎ且つ背面フランジ１３８が背面板１１８に当接した状態で、左側面フランジ１３２が左側面板１１２に、右側面フランジ１３４が右側面板１１４に、背面フランジ１３８が背面板１１８にそれぞれ図示しない固定ネジで締結されている。なお、固定ネジは、左取っ手穴１２２の前方位置及び後方位置に設けられたネジ穴１２２ａ，１２２ｂにねじ込まれ、また、右取っ手穴１２４の前方位置及び後方位置に設けられたネジ穴１２４ａ，１２４ｂにねじ込まれる。
【００３０】
以上詳述した本実施形態のスロットマシン１０によれば、本体１１の内部にてリールユニット１５０を支持するリールユニット支持板部材１３０に左取っ手穴１２２及び右取っ手穴１２４を本体１１の内側から塞ぐ左側面フランジ１３２及び右側面フランジ１３４を設けたため、部品点数を増やすことなく両取っ手穴１２２，１２４を塞ぐことができる。
【００３１】
また、リールユニット支持板部材１３０は板金製つまり金属製であるため、不正行為者が各フランジ１３２，１３４で塞がれた各取っ手穴１２２，１２４をこじ開けようとしても、容易にこじ開けることができない。
【００３２】
更に、一般にリールユニット１５０の下面は両取っ手穴１２２，１２４とほぼ同じ高さであるため、リールユニット支持板部材１３０を利用して、リールユニット支持板部材１３０の支持面１３１の一部を延ばすことにより簡単に左側面フランジ１３２及び右側面フランジ１３４を形成することができる。
【００３３】
更にまた、リールユニット支持板部材１３０は、リールユニット１３０を支持するのに支障にならない切欠１４０，１４２及び丸穴１４４，１４６，１４８を有しているため、リールユニット支持板部材１３０が軽くなり、ひいてはスロットマシン１０の全体の重量が軽くなる。
【００３４】
そしてまた、各フランジ１３２，１３４は、各取っ手穴１２２，１２４の前方位置及び後方位置にて各側面板１１２，１１４に締結されているため、リールユニット支持板部材１３０を両フランジ１３２，１３４にて本体１１の両側面板１１２，１１４に確実に締結できるし、両取っ手穴１２２，１２４を確実に塞ぐこともできる。また、リールユニット支持板部材１３０を両フランジ１３２，１３４にて本体１１の両側面板１１２，１１４に締結すると同時に両取っ手穴１２２，１２４を塞ぐことができる。
【００３５】
なお、本発明は上述した実施形態に何等限定されるものではなく、本発明の技術的範囲に属する限り、種々なる形態で実施し得ることは勿論である。
【００３６】
例えば、上述した実施形態の各フランジ１３２，１３４に、図５に示すように、各取っ手穴１２２，１２４と略合致する位置に内向きに凹んだ指挿入部１３２ａ，１３４ａを設けてもよい。こうすれば、各取っ手穴１２２，１２４の奥行きが広がり、運搬作業時に作業者が指を取っ手穴に引っかけやすくなる。
【００３７】
また、上述した実施形態では、リールユニット１５０を支持するリールユニット支持板部材１３０を利用して両取っ手穴１２２，１２４を塞いだが、リールユニット１５０以外に本体１１の内部に取り付ける部品を支持する支持板部材を利用して両取っ手穴１２２，１２４を塞いでもよいし、リールユニット１５０のカバー１５１の一部を延ばして両取っ手穴１２２，１２４を塞いでもよい。。
【００３８】
更に、上述した実施形態では、本発明をスロットマシンに適用した例について説明したが、本発明をパチンコ機に適用してもよいし、パチンコ機とスロットマシンとの融合機に適用してもよい。
【図面の簡単な説明】
【図１】スロットマシンの前面扉を閉じた状態の斜視図である。
【図２】スロットマシンの前面扉を開いた状態の斜視図である。
【図３】遊技機本体にリールユニット支持板部材を取り付けるときの斜視図である。
【図４】遊技機本体にリールユニット支持板部材を取り付けたあとの斜視図である。
【図５】他の実施形態のリールユニット支持板部材の斜視図である。
【符号の説明】
１０…スロットマシン、１１…本体、１２…前面扉、１１０…底面板、１１２…左側面板、１１４…右側面板、１１６…上面板、１１８…背面板、１２２…左取っ手穴、１２２ａ，１２２ｂ…ネジ穴、１２４ａ，１２４ｂ…ネジ穴、１２４…右取っ手穴、１３０…リールユニット支持板部材、１３１…支持面、１３２…左側面フランジ、１３４…右側面フランジ、１３８…背面フランジ、１４０，１４２…切欠、１４４，１４６，１４８…丸穴。
【図１】
0004174991.tif 000002
【図２】
0004174991.tif 000003
【図３】
0004174991.tif 000004
【図４】
0004174991.tif 000005
【図５】
0004174991.tif 000006